(57)【要約】【課題】大パワーの電力を必要とせず、構造が簡単で製作コストを低減することができる美容器を提供する。【解決手段】ハンドル１２と、そのハンドル１２に回転可能に支持されたローラ１８とを備える。ハンドル１２の外周面及びローラ１８の外周面には導電部を設けるとともに、それらの導電部の間を電気絶縁する。ローラ１８の内部にローラ１８の回転にともなって発電を行う発電部としての永久磁石２２と、発電された電力をローラ１８の導電部間に供給する供給部とを設ける。【選択図】図１
2011015874.tif 000002
【特許請求の範囲】
【請求項１】
ハンドルと、そのハンドルに回転可能に支持されたローラとを備え、そのローラにより人体に刺激を与えるにようにした美容器において、
前記ハンドルの外周面及びローラの外周面に導電部を形成するとともに、それらの導電部の間を電気絶縁し、ローラの内部にローラの回転にともなって発電を行う発電部と、発電された電力を前記ローラの導電部に供給する供給部とを設けたことを特徴とする美容器。
【請求項２】
前記発電部をローラの回転にともなってローラまたはローラ支持軸との間に相対回転を生じる永久磁石により構成したことを特徴とする請求項１に記載の美容器。
【請求項３】
前記ローラを一対の軸受を介してローラ支持軸に支持し、前記永久磁石を前記両軸受間に設けたことを特徴とする請求項２に記載の美容器。
【発明の詳細な説明】
【技術分野】
【０００１】
この発明は、回転可能なローラを人体上を転動させることにより、美肌効果等の美容効果を得るようにした美容器に関するものである。
【背景技術】
【０００２】
従来、この種の美容器としては、例えば特許文献１に開示されるような構成が提案されている。
この従来構成においては、支持杆の一端部にグリップが接続されるとともに、支持杆の他端部にローラが回転可能に支持されている。支持杆の外周とローラの内周との間には、ローラの回転にともなって電力を発生する電力発生手段としてのコイル及び永久磁石が設けられている。ローラ内には、電力発生手段で発生した電力を蓄えるための蓄電池が設けられている。ローラの外周には、蓄電池の電力に基づいて皮膚を刺激する皮膚刺激手段としての複数のＬＥＤ（発光ダイオード）が配列されている。
【０００３】
そして、使用者がグリップを把持した状態で、ローラを肌に押し付けて回転させると、肌に適度な刺激が与えられて、美肌効果が得られる。このとき、ローラの回転にともなって、コイル及び永久磁石よりなる電力発生手段で電力が発生し、その電力が蓄電池に蓄えられる。そして、この蓄電池の電力により、ローラ上のＬＥＤが発光されて、その光により美肌効果が高められるとしている。
【先行技術文献】
【特許文献】
【０００４】
【特許文献１】特開２００８−２６４５０７号公報
【発明の概要】
【発明が解決しようとする課題】
【０００５】
ところが、この従来の美容器においては、発電された電力が複数のＬＥＤに供給される。このため、複数のＬＥＤを発光させるために大パワーの電力を必要とする。従って、その電力をローラの回転により得ようとすると、前記のようにコイル及び永久磁石よりなる大掛かりな電力発生手段を装備する必要がある。よって、美容器の構造が複雑で製作コストが高くなるという問題があった。しかも、大パワーの電力を生じさせるためには、ローラに回転に対して大きな発電負荷，つまりローラの回転に抗する磁気反発力を与える必要がある。言い換えれば、ローラを回転させるために強い力が必要となり、このため操作感が悪くなり、高級感が損なわれることになる。
【０００６】
この発明は、このような従来の技術に存在する問題点に着目してなされたものである。その目的は、小電力でも高い美容効果を得ることができるとともに、構造が簡単で製作コストを低減することができ、しかも高級な操作感を得ることができる美容器を提供することにある。
【課題を解決するための手段】
【０００７】
上記の目的を達成するために、この発明は、ハンドルと、そのハンドルに回転可能に支持されたローラとを備え、そのローラにより人体に刺激を与えるにようにした美容器において、前記ハンドルの外周面及びローラの外周面に導電部を形成するとともに、それらの導電部の間を電気絶縁し、ローラの内部にローラの回転にともなって発電を行う発電部と、発電された電力を前記ローラの導電部に供給する供給部とを設けたことを特徴としている。
【０００８】
従って、使用者がハンドルを把持した状態で、ローラを肌に押し付けて回転させると、肌や人体の表面側の組織に適度な刺激を与えられて、美肌効果等の美容効果が得られる。このとき、ローラの回転にともなって発電部で微電力が発生し、その微電力が供給部を介してローラの導電部間に供給される。そして、この微電力がローラから肌に流れることにより、美容効果が高められる。よって、美容効果を高めるために大パワーの電力を必要とせず、発電部の構造が簡単で製作コストを低減することができるとともに、ローラの回転が重くなることを防止できて、高級な操作感を得ることができる。
【０００９】
また、前記の構成において、前記発電部をローラの回転にともなってローラまたはローラ支持軸との間に相対回転を生じる永久磁石により構成するとよい。このように構成した場合には、発電部を構造が簡単な永久磁石のみで構成することができて、製作コストを低減することができる。
【００１０】
さらに、前記の構成において、前記ローラを一対の軸受を介してローラ支持軸に支持し、前記永久磁石を前記両軸受間に設けるとよい。このように構成した場合には、ローラ内に永久磁石のための広い収容スペースを確保する必要がなく、美容器全体を小型にすることができる。
【発明の効果】
【００１１】
以上のように、この発明によれば、美容効果を高めるために大電力を必要とせず、構造が簡単で製作コストを低減することができ、しかも高級な操作感を得ることができるという効果を発揮する。
【図面の簡単な説明】
【００１２】
【図１】第１実施形態の美容器を示す平面図。
【図２】図１の美容器の正面図。
【図３】図１の３−３線における断面図。
【図４】図１の４−４線における部分拡大断面図。
【図５】図４の５−５線における断面図。
【図６】図４の６−６線における断面図。
【図７】第２実施形態の美容器を示す要部断面図。
【図８】図７の８−８線における断面図。
【発明を実施するための形態】
【００１３】
（第１実施形態）
以下に、この発明を具体化した美容器の第１実施形態を、図１〜図６に従って説明する。
【００１４】
図１〜図３に示すように、この実施形態の美容器１１は、先端に二叉部１２ａを有する平面形ほぼＹ字状のハンドル１２を備えている。このハンドル１２は、合成樹脂よりなる電気絶縁材性の芯材１３と、その芯材１３の外周に被覆されて複数のネジ１６により固定された一対の外装カバー１４，１５とから構成されている。この外装カバー１４，１５は、合成樹脂材料よりなり、その外表面に導電金属メッキが施されている。従って、外装カバー１４，１５の外表面は、ハンドル１２の導電部を構成している。
【００１５】
前記ハンドル１２の芯材１３の先端部には、ローラ支持軸１７が前記二叉部１２ａの先端から突出させた状態で、かつ外装カバー１４，１５と接触しない離間状態で支持されている。このローラ支持軸１７は金属材料により形成され、そのローラ支持軸１７の両端部にはネジ部１７ａが形成されている。なお、図３に示すように、ローラ支持軸１７はネジ１６を介して前記芯材１３及び外装カバー１４，１５に固定されている。そして、前記ハンドル１２の外表面の導電金属メッキとローラ支持軸１７とは電気的に絶縁されている。
【００１６】
図１及び図４に示すように、前記両ローラ支持軸１７には、円筒状をなすローラ１８がそれぞれ各一対の軸受１９を介して回転可能に支持されている。ローラ支持軸１７の先端のネジ部１７ａには、ローラ１８の抜け止めのための雌ネジ部材２０が螺合されている。各ローラ１８は、合成樹脂よりなり、その表裏両面に導電金属材料よりなる導電メッキが施されている。従って、両ローラ１８の表裏両面は導電部を構成している。各ローラ１８の外周面には、使用者の肌を含む人体の表面側の組織に刺激を与える複数の正八角形状の接触部１８ａが隣接する他の接触部１８ａに対して中心角度をずらした状態で形成されている。各ローラ１８の内周面には、両軸受１９の外レース１９ａの外周面及び対向側面に接合する複数の突部としての突条１８ｂが所定の等角度間隔おきに形成されている。
【００１７】
図４及び図５に示すように、前記ハンドル１２の二叉部１２ａの先端外周には、合成樹脂等の電気絶縁材よりなる円筒状の絶縁体２１が嵌着されている。そして、この絶縁体２１がハンドル１２の二叉部１２ａの外周面とローラ１８の内周面との間、及びハンドル１２の二叉部１２ａの先端面と軸受１９との間に介在されることにより、ハンドル１２とローラ１８との導電部間の絶縁を確保している。
【００１８】
図１、図４及び図６に示すように、前記各ローラ１８の内部には、ローラ１８の回転にともなって発電を行う発電部としての永久磁石２２が設けられている。この永久磁石２２は磁石鋼により円筒状に形成され、両軸受１９の外レース１９ａ間に配置されるように、ローラ１８内の突条１８ｂの小径中間部１８ｃ内にローラ１８と一体回転可能に嵌着されている。なお、前記突条１８ｂと永久磁石２２との間に誤差により隙間が生じたとしても、永久磁石２２は自身の磁力によりいずれか一方の軸受１９に吸着される。従って、永久磁石２２のがたつきが防止される。
【００１９】
そして、ローラ１８の回転にともない、永久磁石２２がローラ支持軸１７に対してわずかな間隔を隔てて相対回転されることにより、ローラ支持軸１７の表面の微細な凹凸や真円度のわずかな偏り等に起因して微電力が発生し、その微電力がローラ１８の外周側の表面の導電部に伝えられる。従って、ローラ１８の内周側及び外周側の導電部によって、発電された電力をローラ１８の外周側に供給するための供給部が構成されている。
【００２０】
ハンドル１２の先端部，つまりＹ字部の付け根部には透明板２３が設けられ、その内側には太陽電池パネル２４が設置され、この太陽電池パネル２４の出力端子がハンドル１２及びローラ１８に導電部に接続されている。従って、発電された電力がハンドル１２及びローラ１８の導電部に供給される。
【００２１】
次に、前記のように構成された美容器の作用を説明する。
さて、この美容器１１において、図１及び図２に示すように、使用者がハンドル１２を把持した状態で、両ローラ１８を肌Ｓに押し付けて回転させると、ローラ１８の外周面の接触部１８ａにより、肌Ｓを含む人体の表面側組織に適度な刺激を与えられて、美肌効果等の美容効果が得られる。このとき、両ローラ１８の回転にともなって、永久磁石２２がローラ支持軸１７に対して相対回転される。このため微電力が発生して、その微電力がローラ１８の表面の導電部に供給される。このため、ローラ１８の導電部とハンドル１２の導電部との間に人体を介在させた電路が形成される。従って、この微電力がローラ１８から肌Ｓを含む人体に流れることにより、人体への刺激が増進されてさらに高い美肌効果等の美容効果を得ることができる。
【００２２】
なお、太陽電池パネル２４も光を受けて発電して、その微電力をハンドル１２及びローラ１８の導電部に供給するため、前記と同様に微電力が人体に供給されて、美容効果を得ることができる。
【００２３】
従って、この第１実施形態においては、以下の効果がある。
（１）  この第１実施形態の美容器１１においては、ローラ１８の回転にともなって発電部としての永久磁石２２で発電された微電力が、ローラ１８の導電部に供給されてローラ１８から肌Ｓに直接流れ、美肌効果等の美容効果が高められるようになっている。よって、ＬＥＤを発光させる従来構成とは異なり、美肌効果を高めるための大パワーの電力を必要とせず、発電部を簡単な構造の永久磁石２２のみで構成することができて、製作コストを低減することができる。
【００２４】
（２）  この第１実施形態においては、大パワーの電力を発電する必要がないため、ローラ１８の回転に際してローラ１８に高負荷を与える必要はない。このため、ローラ１８は軽くスムーズに回転され、高級な操作感を得ることができる。
【００２５】
（３）  この第１実施形態の美容器１１においては、ローラ１８が一対の軸受１９を介してローラ支持軸１７に回転可能に支持され、永久磁石２２が両軸受１９間に配置されている。このため、ローラ１８内に永久磁石２２を収容するための広い収容スペースを確保する必要がなく、永久磁石２２を容易に組み込むことができて、美容器１１全体を小型にすることができる。
【００２６】
（４）  永久磁石２２がローラ１８の内周面の突条１８ｂの小径部に支持されるととともに、自身の磁力により一方の軸受１９に吸着されているため、がたついたり、異音を発生したりすることはない。このため、前記と同様に高級な操作感を得ることができる。
【００２７】
（５）  太陽電池パネル２４がハンドル１２のＹ字付け根部に位置しているめ、その太陽電池パネル２４が使用者の手によって隠されることを抑制できる。このため、太陽電池パネル２４の発電機能を有効に発揮させることができる。
【００２８】
（第２実施形態）
次に、この発明を具体化した美容器の第２実施形態を、前記第１実施形態と異なる部分を中心に説明する。
【００２９】
さて、この第２実施形態においては、図７及び図８に示すように、発電部としての永久磁石２２が柔軟性を有するゴム磁石により構成されている。そして、その永久磁石２２が両軸受１９の内レース１９ｂ間に配置されるように、ローラ支持軸１７の外周に巻回されて固定されている。そして、ローラ１８が永久磁石２２に対して相対回転されることにより、導電メッキが施された前記突条１８ｂが永久磁石２２の周囲を移動するため、微電力が発生されるようになっている。
【００３０】
従って、この第２実施形態においては、前記第１実施形態に記載の効果に加えて、以下の効果を得ることができる。
（６）  この第２実施形態においては、永久磁石２２としてゴム磁石を用いているため、軽量化することが可能になる。
【００３１】
（変更例）
なお、この実施形態は、次のように変更して具体化することも可能である。
・  ローラ１８の数を１個に変更すること。このため、ハンドル１２はＹ字形状ではない別形状になる。
【００３２】
・  ローラ１８の接触部１８ａを八角形以外の形状、例えば六角形，十角形等とすること。
・  ローラ１８の接触部１８ａを単なる円形としたり、その外周面にローレット等の凹凸を形成したりすること。
【００３３】
（他の実施形態）
前記実施形態から把握され、請求項に記載されていない技術的思想は以下の通りである。
【００３４】
（Ａ）  永久磁石２２をローラ１８の内周面の突部１８ｂに支持したことを特徴とする請求項３に記載の美容器。
このように構成すれば、永久磁石２２のがたつきを防止できて、高級な操作感を得ることができる。
【００３５】
（Ｂ）  永久磁石２２をゴム磁石により構成し、その永久磁石２２をローラ１８の軸１７に巻回したことを特徴とする請求項３に記載の美容器。
このように構成すれば、軽量化を達成できる。
【００３６】
（Ｃ）  ハンドル１２をＹ字状に形成するとともに、そのＹ字の二股部にローラ１８をそれぞれ支持し、Ｙ字の付け根部には太陽電池パネル２４を配置し、その太陽電池パネルによって発電された電力をハンドル１２，ローラ１８の導電部の少なくとも一方に供給されるようにしたことを特徴とする請求項１〜３のうちのいずれか一項に記載の美容器。
【００３７】
このように構成すれば、太陽電池パネル２４が使用者の手によって隠されることを抑制できて、太陽電池パネル２４を有効に発電させることができる。
【符号の説明】
【００３８】
１１…美容器、１２…ハンドル、１４，１５…導電部としての外装カバー、１７…ローラ支持軸、１８…ローラ、１９…軸受、２２…発電部としての永久磁石、Ｓ…肌。
【図１】
2011015874.tif 000003
【図２】
2011015874.tif 000004
【図３】
2011015874.tif 000005
【図４】
2011015874.tif 000006
【図５】
2011015874.tif 000007
【図６】
2011015874.tif 000008
【図７】
2011015874.tif 000009
【図８】
2011015874.tif 000010